(57)【要約】【課題】突き合わせる旧長尺体の終端縁と新長尺体の先端縁との位置決め精度が低下することを防止できる長尺体位置決め装置及び位置決め方法を提供すること。【解決手段】長尺体位置決め装置１１は、新旧長尺体ＲＳ２、ＲＳ１の重複領域ＷＡ近傍に設けられたガイド手段１４と、切断手段１５による切断位置を間に挟んで新旧長尺体ＲＳ２、ＲＳ１の延出方向における一側及び他側の両方に設けられ、新旧長尺体ＲＳ２、ＲＳ１を移動規制可能な第１及び第２規制手段１７、１８を備えている。第１及び第２規制手段１７、１８は、新旧長尺体ＲＳ２、ＲＳ１をガイド手段１４と挟み込み可能な第１挟み込み手段３１と、新旧長尺体ＲＳ２、ＲＳ１を第１挟み込み手段３１と挟み込み可能な第２挟み込み手段３２とをそれぞれ備えている。【選択図】図１
2014058371.tif 000002
【特許請求の範囲】
【請求項１】
帯状の旧長尺体及び帯状の新長尺体それぞれの延出方向を一致させた状態で、それらの一部領域を重ね合わせて重複領域を形成し、当該重複領域で前記新旧長尺体を切断することで、前記旧長尺体に終端縁を形成するとともに、前記新長尺体に先端縁を形成し、これら終端縁と先端縁とを突き合わせ可能な長尺体位置決め装置において、
ガイド手段と、
前記重複領域で前記延出方向に交差する方向に前記新旧長尺体を切断位置で切断可能な切断手段と、
前記切断位置を間に挟んで前記延出方向における一側及び他側の両方に設けられ、前記新旧長尺体の移動を規制可能な第１及び第２規制手段とを備え、
前記第１及び第２規制手段は、前記旧長尺体及び新長尺体の内の一方を前記ガイド手段と相互に挟み込み可能な第１挟み込み手段と、前記旧長尺体及び新長尺体の内の他方を前記第１挟み込み手段と相互に挟み込み可能な第２挟み込み手段とをそれぞれ備えていることを特徴とする長尺体位置決め装置。
【請求項２】
前記第１及び第２規制手段の少なくとも一方にはシフト手段が設けられ、このシフト手段は、前記ガイド手段及び第１挟み込み手段の間と、第１及び第２挟み込み手段の間とで前記旧長尺体又は新長尺体を入れ替え可能に設けられていることを特徴とする請求項１記載の長尺体位置決め装置。
【請求項３】
前記第１及び第２挟み込み手段には、それらの挟み込み対象となる前記旧長尺体又は新長尺体を検出可能な検出手段が設けられていることを特徴とする請求項１又は２記載の長尺体位置決め装置。
【請求項４】
帯状の旧長尺体及び帯状の新長尺体それぞれの延出方向を一致させた状態で、それらの一部領域を重ね合わせて重複領域を形成する工程と、
前記重複領域における前記延出方向における一側及び他側の両方で、前記旧長尺体及び新長尺体の内の一方をガイド手段と第１挟み込み手段とで相互に挟み込み、且つ、前記旧長尺体及び新長尺体の内の他方を前記第１挟み込み手段と第２挟み込み手段とで相互に挟み込む工程と、
両方の前記第１挟み込み手段の間における切断位置で前記新旧長尺体を切断することで、前記旧長尺体に終端縁及び不要旧長尺体部分を形成するとともに、前記新長尺体に先端縁及び不要新長尺体部分を形成する工程と、
前記終端縁又は先端縁を前記切断位置に復帰可能な状態で、前記延出方向における一側及び他側の内の一方の前記第１挟み込み手段とガイド手段との挟み込みを解除して前記不要旧長尺体部分及び不要新長尺体部分の内の一方を取り除く工程と、
前記終端縁又は先端縁を前記切断位置に維持させた状態で、前記延出方向における一側及び他側の内の他方の前記第１挟み込み手段と第２挟み込み手段との挟み込みを解除して前記不要旧長尺体部分及び不要新長尺体部分の内の他方を取り除く工程と
前記先端縁と後端縁とを前記切断位置で突き合わせて位置決めする工程とを備えていることを特徴とする長尺体位置決め方法。
【発明の詳細な説明】
【技術分野】
【０００１】
本発明は、長尺体位置決め装置及び位置決め方法に係り、更に詳しくは、旧長尺体の終端側と新長尺体の先端側とを接続するために用いられる長尺体位置決め装置及び位置決め方法に関する。
【背景技術】
【０００２】
従来より、２本の長尺体を接続するため、旧長尺体の終端側と新長尺体の先端側とを接続することができる接続装置が知られており、かかる接続装置としては、例えば、特許文献１に開示されている。特許文献１の接続装置は、重ね合わせた旧長尺体及び新長尺体の一方の面側に配置されて対向する旧長尺体を吸着保持するガイド手段と、ガイド手段上の旧長尺体及び新長尺体を切断する切断手段と、切断手段の切断により形成された旧長尺体の終端縁と新長尺体の先端縁とに跨って接続用接着シートを貼り付ける貼付手段とを備えている。同装置では、切断手段による切断後、新長尺体の先端縁から分離された不要新長尺体部分がニップローラに巻き付けられて回収される。その後、貼付手段によって接続用接着シートを貼付した後、旧長尺体の終端縁から分離された不要旧長尺体部分がニップローラに巻き付けられて除去される。
【先行技術文献】
【特許文献】
【０００３】
【特許文献１】特開２００５−１５１４５号公報
【発明の概要】
【発明が解決しようとする課題】
【０００４】
しかしながら、特許文献１にあっては、不要新長尺体部分を除去するときに、当該不要新長尺体部分に重なる旧長尺体の終端縁領域がガイド手段による吸着だけで保持される。かかる吸着保持は、その性質上、長尺体の面方向への移動を規制する力が不十分なため、旧長尺体の終端縁が面方向にずれ易く、当該後端縁と先端縁との相対位置関係がずれてしまう、という不都合を招来する。また、不要旧長尺体部分を除去する前に、当該不要旧長尺体部分に重なる新長尺体の先端縁領域を保持するため、接続用接着シートによって当該先端領域を旧長尺体の後端縁領域に固定しておくことが必要となり、それらの接続において、その工程の順序に制約を受ける、という不都合もある。
【０００５】
［発明の目的］
本発明の目的は、不要旧長尺体部分や不要新長尺体部分を除去するときに、旧長尺体の終端縁と新長尺体の先端縁との相対位置関係がずれてしまうことを確実に防止することができる長尺体位置決め装置及び位置決め方法を提供することにある。
【課題を解決するための手段】
【０００６】
前記目的を達成するため、本発明は、帯状の旧長尺体及び帯状の新長尺体それぞれの延出方向を一致させた状態で、それらの一部領域を重ね合わせて重複領域を形成し、当該重複領域で前記新旧長尺体を切断することで、前記旧長尺体に終端縁を形成するとともに、前記新長尺体に先端縁を形成し、これら終端縁と先端縁とを突き合わせ可能な長尺体位置決め装置において、
ガイド手段と、
前記重複領域で前記延出方向に交差する方向に前記新旧長尺体を切断位置で切断可能な切断手段と、
前記切断位置を間に挟んで前記延出方向における一側及び他側の両方に設けられ、前記新旧長尺体の移動を規制可能な第１及び第２規制手段とを備え、
前記第１及び第２規制手段は、前記旧長尺体及び新長尺体の内の一方を前記ガイド手段と相互に挟み込み可能な第１挟み込み手段と、前記旧長尺体及び新長尺体の内の他方を前記第１挟み込み手段と相互に挟み込み可能な第２挟み込み手段とをそれぞれ備える、という構成を採っている。
【０００７】
本発明において、前記第１及び第２規制手段の少なくとも一方にはシフト手段が設けられ、このシフト手段は、前記ガイド手段及び第１挟み込み手段の間と、第１及び第２挟み込み手段の間とで前記旧長尺体又は新長尺体を入れ替え可能に設けられる、という構成が好ましくは採用される。
【０００８】
また、前記第１及び第２挟み込み手段には、それらの挟み込み対象となる前記旧長尺体又は新長尺体を検出可能な検出手段が設けられる、という構成を採用するとよい。
【０００９】
更に、本発明は、帯状の旧長尺体及び帯状の新長尺体それぞれの延出方向を一致させた状態で、それらの一部領域を重ね合わせて重複領域を形成する工程と、
前記重複領域における前記延出方向における一側及び他側の両方で、前記旧長尺体及び新長尺体の内の一方をガイド手段と第１挟み込み手段とで相互に挟み込み、且つ、前記旧長尺体及び新長尺体の内の他方を前記第１挟み込み手段と第２挟み込み手段とで相互に挟み込む工程と、
両方の前記第１挟み込み手段の間における切断位置で前記新旧長尺体を切断することで、前記旧長尺体に終端縁及び不要旧長尺体部分を形成するとともに、前記新長尺体に先端縁及び不要新長尺体部分を形成する工程と、
前記終端縁又は先端縁を前記切断位置に復帰可能な状態で、前記延出方向における一側及び他側の内の一方の前記第１挟み込み手段とガイド手段との挟み込みを解除して前記不要旧長尺体部分及び不要新長尺体部分の内の一方を取り除く工程と、
前記終端縁又は先端縁を前記切断位置に維持させた状態で、前記延出方向における一側及び他側の内の他方の前記第１挟み込み手段と第２挟み込み手段との挟み込みを解除して前記不要旧長尺体部分及び不要新長尺体部分の内の他方を取り除く工程と
前記先端縁と後端縁とを前記切断位置で突き合わせて位置決めする工程とを備える、という方法を採っている。
【発明の効果】
【００１０】
本発明によれば、旧長尺体の終端縁領域や新長尺体の先端縁領域を挟み込んで保持した状態で、不要新長尺体部分及び不要旧長尺体部分を除去することができるので、旧長尺体の終端縁と新長尺体の先端縁との相対位置関係がずれてしまうといった不都合を解消することができる。しかも、接続用接着シートを貼付しなくても、不要新長尺体部分及び不要旧長尺体部分を除去することができ、旧長尺体と新長尺体との接続において、その工程の順序に制約を受けるといった不都合を解消することもできる。
【図面の簡単な説明】
【００１１】
【図１】実施形態に係る長尺体接続装置の概略斜視図。
【図２】（Ａ）〜（Ｆ）は、旧長尺体と新長尺体との接続要領を示す動作説明図。
【発明を実施するための形態】
【００１２】
以下、本発明の実施の形態について図面を参照しながら説明する。
なお、本明細書におけるＸ軸、Ｙ軸、Ｚ軸は、それぞれが直交する関係にあり、Ｘ軸及びＹ軸は、水平面内の軸とし、Ｚ軸は、水平面に直交する軸とする。さらに、本実施形態では、方向を示した場合、「上」がＺ軸の矢印方向で「下」がその逆方向、「左」がＸ軸の矢印方向で「右」がその逆方向、「前」がＹ軸の矢印方向で「後」がその逆方向とする。
また、本明細書及び特許請求の範囲において、「旧長尺体」及び「新長尺体」は、２本の長尺体を位置決めするにあたって、相対的に先に繰り出して利用される方を「旧長尺体」、後に繰り出して利用される方を「新長尺体」とする。また、新長尺体を繰り出して当該新長尺体の終端縁に次の長尺体を位置合わせする場合、新長尺体が旧長尺体となり、次の長尺体が新長尺体となる。
【００１３】
図１及び図２において、長尺体接続装置１０は、下方に位置する帯状の旧長尺体ＲＳ１及び上方に位置する帯状の新長尺体ＲＳ２それぞれの延出方向（左右方向）を一致させた状態で、それらの一部領域を重ね合わせて重複領域ＷＡを形成し（図２（Ｂ）参照）、当該重複領域ＷＡで新旧長尺体ＲＳ２、ＲＳ１を切断することで、旧長尺体ＲＳ１に終端縁ＲＳ１ｒ及び不要旧長尺体部分ＲＳ１Ｄを形成するとともに、新長尺体ＲＳ２に先端縁ＲＳ２ｆ及び不要新長尺体部分ＲＳ２Ｄを形成し、これら終端縁ＲＳ１ｒと先端縁ＲＳ２ｆとを突き合わせ可能に設けられた長尺体位置決め装置１１と、旧長尺体ＲＳ１の終端縁ＲＳ１ｒと新長尺体ＲＳ２の先端縁ＲＳ２ｆとに跨る領域に接続用接着シートＳＳを貼付する貼付手段１２（図２（Ｃ）参照）とを備えている。
【００１４】
前記長尺体位置決め装置１１は、ガイド手段１４と、重複領域ＷＡで延出方向に交差する方向（前後方向）に新旧長尺体ＲＳ２、ＲＳ１を切断位置ＣＰ（図２（Ｂ）参照）で切断可能な切断手段１５と、この切断位置ＣＰを間に挟んで延出方向における一側（左側）及び他側（右側）の両方に設けられ、新旧長尺体ＲＳ２、ＲＳ１の移動を規制可能な第１及び第２規制手段１７、１８とを備えている。
【００１５】
前記ガイド手段１４は、上面側に凹部２０Ａが形成されたガイド本体部２０によって構成されている。
【００１６】
前記切断手段１５は、駆動機器としての直動モータ２５と、直動モータ２５の出力軸２５Ａに支持された切断刃２６とを備えている。
【００１７】
前記第１規制手段１７は、旧長尺体ＲＳ１をガイド本体部２０と相互に挟み込み可能な前後一対の第１挟み込み手段３１と、新長尺体ＲＳ２を第１挟み込み手段３１と相互に挟み込み可能な前後一対の第２挟み込み手段３２とを備えている。
第１挟み込み手段３１は、ガイド本体部２０に支持された駆動機器としての直動モータ３３と、直動モータ３３の出力軸３３Ａに支持され、ガイド本体部２０の上方に位置する第１押え板３４とを備えている。前記第２挟み込み手段３２は、直動モータ３３に支持された駆動機器としての直動モータ３５と、直動モータ３５の出力軸３５Ａに支持され、第１押え板３４の上方に位置する第２押え板３６とを備えている。第１及び第２押え板３４、３６には、カメラ等の撮像手段や光学センサ等からなる検出手段３８、３９が設けられている。検出手段３８、３９は、第１及び第２押え板３４、３６の下面で挟み込み対象となる新旧長尺体ＲＳ２、ＲＳ１を検出してその検出結果を図示しないパーソナルコンピュータやシーケンサ等の制御手段に出力可能に設けられている。
【００１８】
前記第２規制手段１８は、大部分が第１規制手段１７と同様の構造なので、第１規制手段１７の構成に対し、符号の末尾に「’」を付し、説明を省略する。当該第２規制手段１８を構成する直動モータ３３’、３５’は、ガイド本体部２０に支持された前後一対の駆動機器であるシフト手段４１としてのリニアモータ４２のスライダ４２Ａに支持されている。
【００１９】
なお、前述した検出手段３８、３９と同様の機能を有する第１検出手段４５及び第２検出手段４６を含み、第２規制手段１８よりも右側のガイド本体部２０内部に第１検出手段４５が設けられ、第１規制手段１７よりも左側のガイド本体部２０上方に第２検出手段４６が設けられている。
【００２０】
前記貼付手段１２は、ガイド本体部２０の凹部２０Ａ内に設けられた駆動機器としての直動モータ２１と、直動モータ２１の出力軸２１Ａに支持され、上面に前後方向に延びる溝２２Ａが形成された受け部材２２と、受け部材２２の上方に配置された駆動機器としての直動モータ４８と、直動モータ４８の出力軸４８Ａに支持された押え部材４９とを備えて構成されている。受け部材２２の上面及び押え部材４９の下面は、図示しない減圧ポンプや真空エジェクタ等の吸着手段に接続された吸着面とされ、接続用接着シートＳＳを吸着保持可能となっている。
【００２１】
次に、前記長尺体接続装置１０による新旧長尺体ＲＳ２、ＲＳ１の接続方法について説明する。
【００２２】
図１及び図２（Ａ）に示されるように、旧長尺体ＲＳ１がガイド本体部２０と第１押え板３４、３４’との間を通過するように図示しない繰出手段を介して繰り出されている状態で、作業者が新長尺体ＲＳ２を第１押え板３４、３４’と第２押え板３６、３６’との間を通過させる。そして、検出手段３９、３９’及び第２検出手段４６が新長尺体ＲＳ２を検出した時点（検出した状態のまま）で、第１及び第２規制手段１７、１８における第２挟み込み手段３２、３２’が直動モータ３５、３５’を駆動し、第２押え板３６、３６’を下降させて当該第２押え板３６、３６’と第１押え板３４、３４’とにより新長尺体ＲＳ２を挟み込む。また、図示しない供給手段又は、作業者が所定長さの接続用接着シートＳＳを押え部材４９の下面にセットすると、貼付手段１２が図示しない吸着手段を駆動し、当該接続用接着シートＳＳを吸着保持する。この状態で、旧長尺体ＲＳ１を繰り出す間に、図２（Ａ）に示されるように、旧長尺体ＲＳ１の最終端が第１検知手段４５によって検知されると、または、図示しない検出手段によって旧長尺体ＲＳ１の残量が少なくなったことが検知されると、繰出手段が旧長尺体ＲＳ１の繰り出しを停止する。そして、第１及び第２規制手段１７、１８における第１及び第２挟み込み手段３１、３１’、３２、３２’が直動モータ３３、３３’、３５、３５’を駆動し、第１押え板３４、３４’
と第２押え板３６、３６’とを同時に同量下降させ、それらにより新長尺体ＲＳ２を挟み込んだ状態を維持しながら、第１押え板３４、３４’とガイド本体部２０とにより旧長尺体ＲＳ１を挟み込む。これにより、旧長尺体ＲＳ１の上面側に新長尺体ＲＳ２を重ね合わせ、重複領域ＷＡが形成される。
【００２３】
そして、切断手段１５が直動モータ２５を駆動し、切断刃２６を下降させて新旧長尺体ＲＳ２、ＲＳ１を切断位置ＣＰで切断することで、旧長尺体ＲＳ１に終端縁ＲＳ１ｒ及び不要旧長尺体部分ＲＳ１Ｄが形成され、新長尺体ＲＳ２に先端縁ＲＳ２ｆ及び不要新長尺体部分ＲＳ２Ｄが形成される。その後、貼付手段１２が直動モータ２１を駆動し、受け部材２２を下降させると、図示しない供給手段又は、作業者が所定長さの接続用接着シートＳＳを受け部材２２の上面にセットし、貼付手段１２が図示しない吸着手段を駆動し、当該接続用接着シートＳＳを吸着保持する。
【００２４】
次いで、図２（Ｃ）に示されるように、第１規制手段１７における第２挟み込み手段３２が直動モータ３５を駆動し、第２押え板３６を上昇させて第１押え板３４と第２押え板３６とによる不要新長尺体部分ＲＳ２Ｄの挟み込みを解除する。そして、図示しない駆動機器等を介して不要新長尺体部分ＲＳ２Ｄを除去する。これにより、旧長尺体ＲＳ１の終端縁ＲＳ１ｒが切断位置ＣＰに維持された状態で、不要新長尺体部分ＲＳ２Ｄが除去される。
【００２５】
更に、第２規制手段１８における第１及び第２挟み込み手段３１’、３２’が直動モータ３３’、３５’を駆動し、第１及び第２押え板３４’、３６’を同時に同量上昇させて第１押え板３４’とガイド本体部２０とによる不要旧長尺体部分ＲＳ１Ｄの挟み込みを解除する。そして、図示しない駆動機器等を介して不要旧長尺体部分ＲＳ１Ｄを除去する。その後、第１規制手段１７の検出手段３９と第２規制手段１８の検出手段３８’とが新旧長尺体ＲＳ２、ＲＳ１を検出しないことを条件として、第２規制手段１８における第１及び第２挟み込み手段３１’、３２’が直動モータ３３’、３５’を駆動し、第１及び第２押え板３４’、３６’を同時に同量下降させて先端縁ＲＳ２ｆを切断位置ＣＰに復帰させる。これにより、新長尺体ＲＳ２の先端縁ＲＳ２ｆが切断位置ＣＰに復帰可能な状態で、不要旧長尺体部分ＲＳ１Ｄが除去される。そして、終端縁ＲＳ１ｒと、新長尺体ＲＳ２の先端縁ＲＳ２ｆとが突き合わされて位置決めされた状態となる。
【００２６】
次に、貼付手段１２が直動モータ４８、２１を駆動し、押え部材４９を下降、受け部材２２を上昇させ、突き合わされた終端縁ＲＳ１ｒ及び先端縁ＲＳ２ｆを跨ぐ領域の上下両面に接続用接着シートＳＳを押圧する（図２（Ｄ）参照）。これにより、２枚の接続用接着シートＳＳが貼付され、当該接続用接着シートＳＳにより新旧長尺体ＲＳ２、ＲＳ１が接続される。その後、押え部材４９及び受け部材２２が接続用接着シートＳＳの吸着保持を解除し、押え部材４９を上昇させる。
【００２７】
この後、第１及び第２規制手段１７、１８における第１及び第２挟み込み手段３１、３１’３２、３２’が直動モータ３３、３３’３５、３５’、を駆動し、図２（Ｅ）に示されるように、第１及び第２押え板３４、３４’、３６、３６’を上昇させる。そして、前述の繰出手段（図示省略）を駆動することにより、旧長尺体ＲＳ１に連続して新長尺体ＲＳ２が繰り出されることとなる。
【００２８】
かかる繰り出しの開始後、シフト手段４１が一対のリニアモータ４２を駆動し、前方の第１及び第２押え板３４’、３６’を前方向、後方の第１及び第２押え板３４’、３６’を後方向へ移動させ、新長尺体ＲＳ２の下方から前後両方の第１押え板３４’を抜き出すことで、図２（Ｆ）に示されるように、新長尺体ＲＳ２を下降させる。そして、シフト手段４１が一対のリニアモータ４２を再度駆動し、前方の第１及び第２押え板３４’、３６’を後方向、後方の第１及び第２押え板３４’、３６’を前方向へ移動させる。これにより、新長尺体ＲＳ２と各押え板３４、３４’、３６、３６’との位置関係を、接続用接着シートＳＳによる接続前の旧長尺体ＲＳ１と各押え板３４、３４’、３６、３６’との位置関係と同じにすることができる。
【００２９】
従って、このような実施形態によれば、不要旧長尺体部分ＲＳ１Ｄ及び不要新長尺体部分ＲＳ２Ｄを除去するときに、突き合わせる終端縁ＲＳ１ｒ及び先端縁ＲＳ２ｆがＸ−Ｙ面内でずれることを防止することができる。しかも、接続用接着シートＳＳを貼付する前に、不要旧長尺体部分ＲＳ１Ｄ及び不要新長尺体部分ＲＳ２Ｄを除去でき、上下２枚の接続用接着シートＳＳを同時或いは連続して貼付可能となる。
【００３０】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３１】
例えば、接続前の旧長尺体ＲＳ１の通過位置を第１押え板３４、３４’と第２押え板３６、３６’との間とし、新長尺体ＲＳ２の通過位置を第１押え板３４、３４’とガイド手段１４との間としてもよい。この場合、不要新長尺体部分ＲＳ２Ｄを除去するときに、旧長尺体ＲＳ１の終端縁ＲＳ１ｒ領域は、第１規制手段１７の第１及び第２押え板３４、３６により挟み込まれ、不要旧長尺体部分ＲＳ１Ｄを除去するときに、新長尺体ＲＳ２の先端縁ＲＳ２ｆ領域は、第２規制手段１８の第１押え板３４’とガイド部本体２０とにより挟み込まれる。そして、接続用接着シートＳＳにより接続後、第１及び第２押え板３４’、３６’の間に新長尺体ＲＳ２が位置するように、シフト手段４１を駆動する。このような新旧長尺体ＲＳ２、ＲＳ１の通過位置と、前記実施形態での通過位置との両方を利用可能とする場合には、前述したシフト手段４１と同様のシフト手段を第１規制手段１７に設け、第１及び第２押え板３４、３６等を前後方向に移動可能とすることで対応するようにしてもよい。
また、貼付手段１２は、新旧長尺体ＲＳ２、ＲＳ１の上下いずれか一方に接続用接着シートＳＳを貼付できる構成でもよい。
更に、切断手段１５と受け部材２２とを入れ替えて上下逆としてもよい。
【００３２】
また、前記旧長尺体ＲＳ１及び新長尺体ＲＳ２としては、帯状の接着シートや、帯状の接着シートが仮着された帯状の剥離シート、所定間隔毎に接着シートが仮着された帯状の剥離シート、その他、紙、布、鋼板、ベルト、樹脂、木板などであってもよい。
【００３３】
更に、新旧長尺体ＲＳ２、ＲＳ１延出方向に交差する方向は、それらの面に平行で当該長尺体ＲＳ１、ＲＳ２の繰出方向に交差する方向であれば、前後方向からずれた方向でもよい。
また、旧長尺体ＲＳ１と新長尺体ＲＳ２とは、材質、形状、構成、組成的に同じものでも異なるものでもよい。
【００３４】
また、前記実施形態における駆動機器は、回動モータ、直動モータ、リニアモータ、単軸ロボット、多関節ロボット等の電動機器、エアシリンダ、油圧シリンダ、ロッドレスシリンダ及びロータリシリンダ等のアクチュエタ等を採用することができる上、それらを直接的又は間接的に組み合せたものを採用することもできる（実施形態で例示したものと重複するものもある）。更に、移動手段２３は、前記駆動機器を用いた構成に代替してもよい。
【符号の説明】
【００３５】
１１  長尺体位置決め装置
１４  ガイド手段
１５  切断手段
１７  第１規制手段
１８  第２規制手段
３１  第１挟み込み手段
３２  第２挟み込み手段
３８、３９  検出手段
ＲＳ１  旧長尺体
ＲＳ１ｒ  終端縁
ＲＳ２  新長尺体
ＲＳ２ｆ  先端縁
ＷＡ  重複領域
【図１】
2014058371.tif 000003
【図２】
2014058371.tif 000004